【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
シート及びこれとは別体の背もたれを有しており、
前記背もたれは、上端部が着座者の腰椎部に位置する背面下部域と、下端部が着座者の腰椎部に位置する肩部域とを有していて、これら背面下部域と肩部域を、その境界部が手前にせり出すように側面視で山形の姿勢に配置することにより、着座者の腰部を支持する腰椎部域が形成されており、かつ、前記背面下部域と肩部域とは、前記腰椎部域の個所に位置した左右横長の腰椎軸を中心に相対回動可能な構成であって、
前記背面下部域と肩部域とは、それぞれ、中心部域とその左右両側に位置した側部域とを有していて、前記背面下部域の中心部域と前記肩部域との相互間、及び、前記背面下部域の側部域と肩部域の側部域との相互間が相対回動するようにヒンジ連結されており、
かつ、前記背面下部域の中心部域と側部域、及び、肩部域の中心部域と側部域とは、それぞれ上下長手の垂直軸を中心にして相対回動するようにヒンジ連結されており、
着座者の体圧によって前記背面下部域の中心部域と肩部域の中心部域とが相対回動すると、これに連動して隣り合った部域が相対的に回動し、着座者の体圧が解除されると、隣り合った各部域は元の姿勢に戻るようになっている、
椅子。
【請求項２】
前記背面下部域及び肩部域における左右の側部域は、それぞれ前記中心部域の手前側において互いに向き合うように配置されており、このため、前記腰椎部域は、着座した人の腰部を後ろから抱くような形態になっている、
請求項１に記載した椅子。
【請求項３】
前記肩部域の中心部域は左右幅が下から上に向かって大きくなる台形である一方、前記背面下部域の中心部域は、左右幅が上から下に向かって大きくなる台形であり、このため、前記肩部域における左右の垂直軸は、上に向かって左右間隔が広がるように鉛直線に対して傾斜して、前記背面下部域における左右の垂直軸は、下に向かって左右間隔が広がるように鉛直線に対して傾斜している、
請求項１又は２に記載した椅子。
【請求項４】
前記肩部域の上には背面上部域が配置されていて、前記背面上部域も中心部域と左右の側部域とを有しており、
前記背面上部域の中心部域と左右の側部域とは、それぞれ上下長手の垂直軸を中心に相対回動するようにヒンジ連結されている一方、
前記背面上部域の中心部域と肩部域の中心部域との相互間、及び、背面上部域の左右側部域と肩部域の左右側部域との相互間は、それぞれ、左右横長のヘッド軸を中心にして相対回動し得るようにヒンジ連結されている、
請求項１〜３のうちのいずれかに記載した椅子。
【請求項５】
前記背面上部域の中心部域は、左右幅が下から上に向かって小さくなる台形であり、このため前記背面上部域における左右の垂直軸は、左右間隔上から下に向かって広がるように鉛直線に対して傾斜しており、背面上部域の垂直軸と肩部域の垂直軸と背面下部域の垂直軸とがジグザグ状に並んでいる、
請求項４に記載した椅子。
【手続補正２】
【補正対象書類名】明細書
【補正対象項目名】全文
【補正方法】変更
【補正の内容】
【発明の詳細な説明】
【発明の名称】椅子
【技術分野】
【０００１】
本発明は、椅子（特に事務用椅子）に関する。
【背景技術】
【０００２】
事務用椅子の例は、例えばＥＰ２１７３２１８Ｂ１から知ることができる。
【０００３】
最新の事務用椅子は、通例、背もたれが傾斜（傾動）すると同時にシートも傾斜させるいわゆるシンクロ機構を備えている。
【０００４】
このシンクロ機構は、通常、シート下側で、サポートユニット（ここではベースサポートユニットと呼ぶ）の中に一体化されている。サポートユニットは、通常、ベースサポートアーム上で締結され、これを介して台脚と連結されている。基本的に、様々な作りのシンクロ機構が知られている。また、背もたれに作用する復元力（後傾動に対する抵抗）が使用者の体重に自動的に合わせられる自動重量調整機能を持つ機構も知られている。このようなシンクロ機構と自動重量調整機能を持つ事務用椅子の１つの例を、上に挙げたＥＰ２１７３２１８Ｂ１から知ることができる。
【先行技術文献】
【特許文献】
【０００５】
【特許文献１】ＥＰ２１７３２１８Ｂ１公報
【発明の概要】
【発明が解決しようとする課題】
【０００６】
ここから出発して、本発明は、いっそう高い快適性を持つ椅子の提供を課題に置いている。
【課題を解決するための手段】
【０００７】
この課題は、請求項１に記載の特徴を持つ椅子により解決される。
【０００８】
請求項１の椅子は、
シート及びこれとは別体の背もたれを有しており、
前記背もたれは、上端部が着座者の腰椎部に位置する背面下部域と、下端部が着座者の腰椎部に位置する肩部域とを有していて、これら背面下部域と肩部域を、その境界部が手前にせり出すように側面視で山形の姿勢に配置することにより、着座者の腰部を支持する腰椎部域が形成されており、かつ、前記背面下部域と肩部域とは、前記腰椎部域の個所に位置した左右横長の腰椎軸を中心に相対回動可能な構成であって、
前記背面下部域と肩部域とは、それぞれ、中心部域とその左右両側に位置した側部域とを有していて、前記背面下部域の中心部域と前記肩部域との相互間、及び、前記背面下部域の側部域と肩部域の側部域との相互間が相対回動するようにヒンジ連結されており、
かつ、前記背面下部域の中心部域と側部域、及び、肩部域の中心部域と側部域とは、それぞれ上下長手の垂直軸を中心にして相対回動するようにヒンジ連結されており、
着座者の体圧によって前記背面下部域の中心部域と肩部域の中心部域とが相対回動すると、これに連動して隣り合った部域が相対的に回動し、着座者の体圧が解除されると、隣り合った各部域は元の姿勢に戻るようになっている。
【０００９】
背面下部域が、肩部域の下端とヒンジ継手で結合されて、肩部域が肩軸を中心として旋回できることにより、肩部域による背面下部域の機械的な強制ガイドが達成される。つまり、肩部域が肩軸を中心として傾斜（傾動）すると、背面下部域と肩部域との相対的な角度が変えられ、例えば、肩部域が肩軸を中心として直立位置から後ろにもたれた位置へ傾斜するときに、背もたれの腰椎部域が前方に（つまりシートの方に）せりだす。
これにより、全体として椅子の快適性は高められる。
【００１０】
請求項２では、請求項１において、前記背面下部域及び肩部域における左右の側部域は、それぞれ前記中心部域の手前側において互いに向き合うように配置されており、このため、前記腰椎部域は、着座した人の腰部を後ろから抱くような形態になっている。
請求項３では、請求項１又は２において、
前記肩部域の中心部域は左右幅が下から上に向かって大きくなる台形である一方、前記背面下部域の中心部域は、左右幅が上から下に向かって大きくなる台形であり、このため、前記肩部域における左右の垂直軸は、上に向かって左右間隔が広がるように鉛直線に対して傾斜して、前記背面下部域における左右の垂直軸は、下に向かって左右間隔が広がるように鉛直線に対して傾斜している。
請求項４では、請求項１〜３のうちのいずかにおいて、
前記肩部域の上には背面上部域が配置されていて、前記背面上部域も中心部域と左右の側部域とを有しており、前記背面上部域の中心部域と左右の側部域とは、それぞれ上下長手の垂直軸を中心に相対回動するようにヒンジ連結されている一方、前記背面上部域の中心部域と肩部域の中心部域との相互間、及び、背面上部域の左右側部域と肩部域の左右側部域との相互間は、それぞれ、左右横長のヘッド軸を中心にして相対回動し得るようにヒンジ連結されている。
請求項５では、請求項４において、
前記背面上部域の中心部域は、左右幅が下から上に向かって小さくなる台形であり、このため前記背面上部域における左右の垂直軸は、左右間隔上から下に向かって広がるように鉛直線に対して傾斜しており、背面上部域の垂直軸と肩部域の垂直軸と背面下部域の垂直軸とがジグザグ状に並んでいる。
本願発明では、例えば、肩部域が後方に傾斜するときに側部域が略前方に倒れ、これで、より効果的にサイドガイドの働きをするように変えられる。つまり、使用者の腰椎部分を支えるのと同時に、側部域が前方に案内されて使用者の身体を案内する（サポートする）ように、中心部域と側部域とに同期的な強制運動が行われるのである。
【００１１】
側部域の前方への回動を可能にするために、この側部域は、目的に叶う仕方で上下長手の垂直軸を中心として中心部域と向き合って旋回できる。そのため、背もたれ自体は、その側面に沿って、垂直方向（上下長手の方向）を向いたヒンジ継手を介して前方に倒されるか少なくとも曲げられる部域を持つ。そのため、背もたれ自体には、肩部域と背面下部域の間の典型的な水平ヒンジ式継手のほかに、各中心部域と側部域の間に、実質的に垂直な（上下長手の）２つのヒンジ式継手が形作られている。これらのヒンジ式継手は、ここで、弾性（曲げ）部域によって形作られていても、ヒンジによって形作られていてもよい。
【００１２】
目的に叶う更に進んだ形態として、前記背面下部域の下端部が前記シートにヒンジ連結されている。背もたれとシートとの直接的な連結により、シートと背もたれの間の過渡部域において、身体を傾斜位置全体にわたってより良くガイドすることができる。
【００１３】
【００１４】
シート後部が旋回自在に支持され（回動自在に連結され）ていることは、同時に、背もたれ全体がロッキング軸を中心として傾斜するとき、つまり、背面サポートがベースサポートユニット側のロッキング軸を中心として後方に傾斜するときも、快適性を高める働きをする。この運動の時も、シート後部域の効果的な強制ガイドが行われる。ここで、両方のシート部分は、通常、プレート又はシェル、つまり機械的剛性に優れたシートサポート材から作られ、その上にシートクッションが載せられている。
【００１５】
【００１６】
請求項４の背面上部域は、頭部を支えるのに役立つ。この背面上部域も肩部域と結合しており、目的に叶う形態では、これもヒンジ式である。ここで、背面上部域も、中心部域と左右の側部域を持ち、これらは結合している。これにより、全体として強制ガイドが得られ、側部域が強制的に前方に倒されることになる。
【００１７】
原姿勢への復帰は、ばねエレメントによって作られるか、または背面サポートと肩部域の間のヒンジ継手のばね弾性的な作りによっても実現できる。
【００１８】
【００１９】
【００２０】
【００２１】
【００２２】
【００２３】
【００２４】
【００２５】
好ましい実施バリエーションによれば、背もたれは、互いに旋回自在に締結された複数の背面エレメント、すなわち、肩部域を限定する少なくとも１つの主背面エレメントと、この主背面エレメントの下端にヒンジ式に締結され、背面下部域を形成する下背面エレメントを具備する。個々の背面エレメントは、ここで、プレート形又はシェル形に作られているか、そのような形材を具備する。
それゆえ、この実施バリエーションでは、背もたれは、互いに連結された複数の板状背面エレメントによってモザイク状に形作られている。サイド部域を形作るため、好ましくは、主背面エレメントと下背面エレメントに、それぞれサイドの側部エレメント（wangenelement)がヒンジ式に締結されている。これらもまた、プレート又はシェルにより作られているか、そのような形材を具備し、同じく互いにヒンジ式に配置されているので、傾斜するとき、サイドの側部エレメントが肩軸を中心として前方にせり出すように、強制ガイドと強制運動が行われる。
【００２６】
好ましくは、補完的に頭部を支えるために中心部域に上背面エレメントが、また更に好ましくは、更なる側部エレメントが形作られており、これらが、上背面エレメントにヒンジ式に、また同時に、肩部域の側部エレメントにもヒンジ式に連結されている。
【００２７】
望みの強制ガイドをできる限り単純な仕方で可能にするために、ここで、個々の背面エレメントはそれぞれ楔形又は台形に形作られており、ここで、隣り合う背面エレメントが有利な仕方でそれぞれ互いに支え合う形で配置されている。それゆえ、肩部域も背面下部域も、それぞれ、好ましくは互いに支え合う形で台形に作られた３つのセパレートの背面エレメントにより作られている。
同時に、隣り合う台形エレメントも、肩部域と背面下部域の間で同じく互いに支えられているので、長手側と短手側がそれぞれ向き合った配置になっている。台形の作りは、ここで特に、側部エレメント間の中心部域が、腰椎の部域で細幅になるように選択されている。同時に、側部エレメントの方は同部域で広幅になっている。
【００２８】
隣り合う背面エレメントの間のエッジが、隣り合う背面エレメントを連結するヒンジ継手を限定する。背面エレメントが略台形又は楔形であることから、垂直軸は、中央の背面エレメントと側部エレメントの間を正確に垂直（鉛直）の方向に走っていない。それゆえ、ここで垂直軸と言う時、これは単に略垂直の方向（上下方向）に長いだけで、正確な垂直の方向から、例えば±３０％の偏りがあり得るものと理解されたい。これは、上に挙げた請求項のバリエーションにも当てはまる。
【００２９】
個々の背面エレメントは、目的に叶う仕方で、その互いに境を接する側又はエッジにおいて、それぞれフィルムヒンジ方式で互いにヒンジ式に連結されている。加えて、好ましい形態では、背面エレメントは、第１の実施バリエーションの通り、個別のセパレートのプレート又はシェルとして形作られている。これらが、それぞれ平面的な、例えば繊維布又はゴム弾性シートからなる弾性ヒンジストリップにより互いに連結されている。あるいは代わりに、大面積の、特に背面エレメント群全体を覆う弾性カバー（クッション付きカバー）が使われている。ここで、クッションカバーの場合は、ポケットが縫い込まれ、その中に個々の板状の背面エレメントが差し込まれていてもよい。
【００３０】
あるいは代わりに、背面エレメントの群全体が、特に背もたれ全体が、ワンピース形のプラスチック部品（例えば射出成形品）により作られている。個々の背面エレメントは、マテリアルブリッジを介して互いに連結されている。すなわち、ワンピース部品に付けられた切欠き又はマテリアルテーパにより、隣り合った背面エレメントが互いに仕切られている。この切欠きが同時に、フィルムヒンジ方式で形作られたヒンジ継手を限定する。このワンピース形のプラスチック背もたれは、通常、更にクッションカバーで覆われている。
【００３１】
【図面の簡単な説明】
【００３２】
【図１】図１は、実施形態に係る事務用椅子の斜視正面図である。
【図２】図２は、図１に示した事務用椅子の背面図である。
【図３】図３は、背もたれが標準の直立位置にあるときの側面図である。
【図４】図４は、背もたれが傾斜したときの側面図である。
【発明を実施するための形態】
【００３３】
以下、本発明の実施形態を図面に則して詳細に説明する。図において、同じ働きをする部品は、それぞれ同じ参照符号を付けている。
【００３４】
図示された事務用回転椅子は、ベースサポートユニット２を具備し、これにシート４ならびに背面サポート６が取り付けられている。背面サポート６は、左右横長のロッキング軸（傾斜軸）Ａ１を中心として回動できるように、ベースサポートユニット２に支承（連結）されている。ベースサポートユニット２は、ここで詳細に図示されていないシンクロ機構を受容する。これには重量調整用（ロッキングに対する抵抗の調節用）の機構も含まれている。これは、既述の自動重量調整装置として作ってあっても、手動調整式の重量調整装置として作ってあってもよい。
【００３５】
背面サポート６に、複数の部分部域に分割された背もたれ８が連結されている。背もたれ８は、肩部域１０と背面下部域１２を有する。実施形態では更に、上肩部域１０の上に、頭部域を形成する背面上部域１４がある。
【００３６】
また、背もたれ８を構成して上下に並んだ各部域１０，１２，１４は、それぞれ、中心部域１６を有し、中心部域１６の左右両側に側部域１８が連続している。
【００３７】
肩部域１０の下端と背面下部域１２の上端とは、腰椎部域２０において互いに境を接し、ここで、ヒンジ継手を介して互いにヒンジ式に締結されている。すなわち、肩部域１０の下端と背面下部域１２の上端とが連結されていることにより、使用者の腰部を支持する腰椎部域２０が形成されている。それゆえ、上肩部域１０と背面下部域１２とは、左右横長の共通の軸（以下、腰椎軸Ａ２と呼ぶ）を中心として互いに傾斜でき、これで、その相対する方位角が変えられることになる。すなわち、上肩部域１０と背面下部域１２とは、側面視姿勢が変わるように相対的に回動できる。腰椎部域２０は、手前にせり出している。
【００３８】
肩部域１０の背面は、この肩部域１０が左右横長の水平軸（以下、肩軸Ａ３と呼ぶ）を中心として傾斜し得るように、更なるヒンジ継手を介して背面サポート６にヒンジ式に連結されている。肩部域１０は、その上端と下端との間の中途部が、背面サポート６の上端部に連結されている。
肩部域１０には、補完的に、上下長手の左右２本の主垂直軸Ｂ１が左右対称に作られている。左右の主垂直軸Ｂ１は、上に向けて間隔が広がるように、鉛直線に対して傾斜している。また、背面下部域１２にも、上下長手の左右の下垂直軸Ｂ２が左右対称に作られている。左右の下垂直軸Ｂ２は、下に向けて間隔が広がるように、鉛直線に対して傾斜している。使用者が背もたれ８にもたれていない原姿勢において、左右の側部域１８は中心部域１６の側に傾斜しており、垂直軸Ｂ１、Ｂ２は、側部域１８が手前に旋回するのを可能にする（中心部域１６と側部域１８との成す角度が変化することを、可能にする。）。
【００３９】
実施形態において、背もたれ８はシート４と連結されている。それゆえ、背もたれ８は、背面サポート６を介してベースサポートユニット２に連結されていることに加えて、シート４とも連結されている。また、シート４は、背面下部域１２と連結された板状シート後部２２を具備する。この連結は特にヒンジ継手を介して行われ、少なくとも１つの左右横長の連結軸Ａ４を中心として、或る程度の旋回運動が可能である。
シート後部２２は、更なるヒンジ継手を介してシート軸Ａ５を中心として旋回できるように、シート前部２４に締結されている。つまり、シート４は、シート前部２４とシート後部２２とで構成されていて、両者は、連結軸Ａ４を中心にして相対的に回動可能である。両シート部分２２、２４は、ここで、プレート形又はシェル形に作られていて、特にツーピ−ス形のシートサポート体として形成され、それぞれクッションを支持する働きをする。
【００４０】
背面サポート６と背もたれ８の間に、ばねエレメント２６が配置されている（図３及び４を参照）。このばねエレメト２６が、復元力を肩部域１０に加え、これで、肩軸Ａ３を中心として肩部域１０が背面サポート６に対して回動することが可能となる。
【００４１】
図１〜４に描かれた実施形態において、背もたれ８の左右中央部は、複数の、プレート形又はシェル形の背面エレメントで構成されている。すなわち、背もたれ８は、肩部域１０の中心部域を形成する主中心エレメント２８と、背面下部域１２の中央部を形成する下中心エレメント３０と、背面上部域１４の中央部を形成する上中心エレメント３２とを具備する。上下に隣り合った中心エレメント２８，３０，３２は、左右横長で水平に走るヒンジ継手を介して互いに連結されている。主中心エレメント２８と下中心エレメント３０は、腰椎軸Ａ２を介して互いにヒンジ式に連結されている。上中心エレメント３２は、主中心エレメント２８と共にヘッド軸Ａ６を中心として傾斜できるように、主中心エレメント２８の上端に連結されている。
【００４２】
これらの中心エレメント２８，３０，３２の各々に、それぞれ左右の側部エレメント２９，３１，３３が連続しており、中心エレメント２８，３０，３２と側部エレメント２９，３１，３３とは、それぞれヒンジ式に連結されている。特に図３及び４の側面図から明らかな通り、側部エレメント２９，３１，３３はサイドから中心エレメント２８，３０，３２の手前側に延び、そこで、側部域１８は、角度を付けて中心部域１６の方に向いている。背面上部域１４の中心エレメント３２と左右の側部エレメント３３とは、それぞれ上垂直軸Ｂ３を介して連結されており、左右の上垂直軸Ｂ３は、上に向けて間隔が狭くなるように、鉛直線に対して左右対称に傾斜している。
【００４３】
各エレメント２８〜３３は、それぞれ台形ないしは楔形又は三角形の基礎面を持ち、これで、長手側から短手側に向かって細幅ないしは先細に延びている。個々の背面エレメント２８〜３３はそれぞれ支え合う形で配置されているので、隣り合ったエレメント２８〜３３は、それぞれ長手側又は短手側で互いに接している。これにより、腰椎部域２０にウエストが形作られている。同時に、側部エレメント２９，３１，３３は、サイドから前方へ引っ張られている。
【００４４】
図１〜４に示した実施形態の椅子の機能の仕方は、下記の通りである。
【００４５】
使用者が背もたれ８にもたれ掛かって背面サポート６が後傾すると（後ろに傾斜すると）、背もたれ８の肩部域１０は、背面サポート６と一緒に後退しつつ、肩軸Ａ３を中心として後方に傾斜する。すると、肩部域１０が背面下部域１２にヒンジ連結されていることから、背面下部域１２の方は、肩部域１０と一緒に後退しつつも、略上方へ引っ張られて、腰椎部域２０が背面サポート６に対して手前にせり出し、これにより、腰椎部域２０において身体に対する望みの支えが得られる。
同時に、側部エレメント２９，３１，３３同士の結合により、また、個々のエレメント２８〜３３の特殊な台形の形状により、側部エレメント２９，３１，３３は中心エレメント２８，３０，３２の手前側に折れ込むので、使用者の上体はよりうまく抱え込まれる。従ってまた、使用者の脇も、うまくガイドされることになる。
【００４６】
背もたれ８が腰椎部域２０において前方へせり出すことから、背面下部域１２の範囲内で長さ補正が必要である。これは、背面下部域１２とシート後部２２とのヒンジ結合と、シート後部２２とシート前部２４とのヒンジ結合とによって行われる。肩部域１０が後方に傾斜すると、シート後部２２は、背面下部域１２との連結部域、つまり連結軸Ａ４の部域が略垂直の方向に上方へ引っ張られる。同時に、シート後部２２がシート前部２４と向き合って旋回運動する。従って、肩部域１０が肩軸Ａ３を中心として傾斜した途端、シート後部２２は斜め上方へ連れていかれる（引っ張られる）。肩軸Ａ３は、ここで大体、肩部域１０の略上部三分の一の高さに位置している。
【００４７】
通常、肩部域１０の傾き調節は、背もたれ８全体がベースサポートユニット２と向き合って傾斜するのと同時に、つまり、背面サポート６が傾斜軸Ａ１を中心として傾斜するときに行われる。このような複合的な傾斜の様子が、図４に図３との比較で描かれている。図３に描かれた、背面サポート６が基本の直立位置にあるこの初期ポジションから出発して、傾き調節（肩部域１０と背面サポート６との相対姿勢の変化）のとき、図４において矢印３６で表された、個々のエレメントのそれぞれの軸Ａ１〜Ａ６を中心とする回動運動が行われる。
【００４８】
ロッキング軸Ａ１を中心とする背もたれ８の傾斜により、肩部域１０は、肩軸Ａ３によって斜め後方（上方）に引っ張られる。これにより、図３に描かれた初期場面と比べて背もたれ８は伸長される。つまり、肩部域１０の後傾角度が背面サポート６の後傾角度よりも小さいため、肩部域１０の背面と背面下部域１２の背面との成す角度は大きくなる（直線に近くなる。）。これにより、シート後部２２の後端は、下方へ（背面サポート６の方へ）引っ張られる（或いは、押される。）。図３に描かれた初期場面では略直角であったシート後部２２と背面下部域１２の間の角度は、幾らか小さくなる。
【００４９】
従って、個々の軸Ａ１〜Ａ６，Ｂ１，Ｂ２により、互いに連結されたヒンジ鎖またはリンク鎖が作られているのであり、これが、傾き調節時に（ロッキング時に）、背もたれ８の輪郭を望み通りの形状に強制的に適合させることにつながるのである。
【００５０】
背もたれ８の伸長によって、腰椎部域２０が後方へ（背面サポート６の方に）ずらされることにより、側部域１８において強制補正が引き起こされ、その結果、肩部域１０と背面下部域１２との側部エレメント２９，３１が垂直軸Ｂ１、Ｂ２を中心として前方に折れ込み、また補完的に、背面上部域１４の側部エレメント３３が、第３の垂直軸Ｂ３を中心として前方に折れ込むことになる。
【００５１】
背もたれ８が直立位置に戻るとき、運動は逆の順序で行われる。従って、ばねエレメント２６のばね力は、背もたれ８が直立位置から図４に描かれた傾斜位置に移行するときの伸長運動に対抗するように方向づけられている。
【００５２】
【００５３】
【００５４】
【００５５】
【００５６】
【００５７】
【００５８】
【符号の説明】
【００５９】
２  ベースサポートユニット
４  シート
６  背面サポート
８  背もたれ
１０  上肩部域
１２  背面下部域
１４  背面上部域
１６  中心部域
１８  側部域
２０  腰椎部域
２２  シート後部
２４  シート前部
２６  ばねエレメント
２８  主中心エレメント
２９  側部エレメント
３０  下中心エレメント
３１  下側部エレメント
３２  上中心エレメント
３３  上側部エレメント
３６  矢印
３８  フレーム
Ａ１  ロッキング軸
Ａ２  腰椎軸
Ａ３  肩軸
Ａ４  連結軸
Ａ５  シート軸
Ａ６  ヘッド軸
Ｂ１  主垂直軸
Ｂ２  下垂直軸
Ｂ３  上垂直軸
【手続補正３】
【補正対象書類名】図面
【補正対象項目名】全図
【補正方法】変更
【補正の内容】
【図１】
2016093536.tif 000001
【図２】
2016093536.tif 000002
【図３】
2016093536.tif 000003
【図４】
2016093536.tif 000004